(57)【要約】【課題】携帯性を保ちながら、充分な音量を得る。【解決手段】ＨＤＤプレーヤ１００は、再生音声信号で駆動される磁歪アクチュエータ１１０を備えている。この磁歪アクチュエータ１１０は、筐体１２０の収納凹部１２２に配置されている。ユーザは、スライド操作部１２３を操作して、駆動ロッド１１０ａが筐体１２０から突出した突出状態、または駆動ロッド１１０ａが収納凹部１２２に収納された収納状態とできる。突出状態では、駆動ロッド１１０ａを所定の振動板に当接させた状態とでき、この振動板１３０から充分な音量の音声が得られる。一方、収納状態では、駆動ロッド１１０ａは筐体１２０の上部に取り付けられている振動板１２１に当接した状態となり、この振動板１２１から音声が得られる。【選択図】        図７
2007104603.tif 000002
【特許請求の範囲】
【請求項１】
音声信号を出力する音声信号出力部と、
上記音声信号出力部から出力される音声信号に基づいて駆動される磁歪アクチュエータとを備え、
上記磁歪アクチュエータは、駆動ロッドの変位を伝達する変位伝達部が筐体より突出した状態で、あるいは該変位伝達部が筐体より突出可能に配設されている
ことを特徴とする携帯音声駆動装置。
【請求項２】
上記磁歪アクチュエータは、一の面が振動板で構成されている小筐体に、上記駆動ロッドが上記一の面に当接された状態で収納されている
ことを特徴とする請求項１に記載の携帯音声駆動装置。
【請求項３】
上記磁歪アクチュエータは、上記駆動ロッドの変位を拡大する変位拡大器に取り付けられている
ことを特徴とする請求項１に記載の携帯音声駆動装置。
【請求項４】
上記筐体は、上記変位伝達部を所定の振動板に当接した状態で、該所定の振動板に吸着するための吸盤を有する
ことを特徴とする請求項１に記載の携帯音声駆動装置。
【請求項５】
上記音声信号出力部と上記磁歪アクチュエータとの間に挿入され、上記音声信号の周波数特性を補正するイコライザ部と、
上記イコライザ部の補正内容をユーザが複数の補正内容から選択する補正内容選択部とをさらに備える
ことを特徴とする請求項１に記載の携帯音声駆動装置。
【請求項６】
上記筐体に取り付けられた振動板をさらに備え、
上記磁歪アクチュエータの配設状態を、上記変位伝達部が上記筐体より突出した第１の状態、および上記変位伝達部が上記振動板に当接した第２の状態に切り換える切り換え機構をさらに備える
ことを特徴とする請求項１に記載の携帯音声駆動装置。
【請求項７】
上記磁歪アクチュエータは筐体に着脱自在に配設され、
上記磁歪アクチュエータが上記筐体から取り外されるとき、上記音声信号出力部から出力される音声信号を無線送信する無線送信部と、
上記磁歪アクチュエータに一体的に固定され、上記磁歪アクチュエータが上記筐体から取り外されるとき、上記無線送信部から送られてくる音声信号を受信する無線受信部とをさらに備える
ことを特徴とする請求項１に記載の携帯音声駆動装置。
【請求項８】
上記磁歪アクチュエータは、上記変位伝達部を所定の振動板に当接した状態で、該振動板に吸着するための吸盤を有する
ことを特徴とする請求項７に記載の携帯音声駆動装置。
【発明の詳細な説明】
【技術分野】
【０００１】
この発明は、音声信号に基づいて駆動される磁歪アクチュエータを備える携帯音声駆動装置に関する。
【０００２】
詳しくは、この発明は、磁歪アクチュエータを、駆動ロッドの変位を伝達する変位伝達部が筐体より突出した状態で、あるいはその変位伝達部が筐体より突出可能に、配設することによって、変位伝達部を所定の振動板に当接させて音声出力を得ることができ、携帯性を保ちながら、充分な音量を得ることができるようにした携帯音声駆動装置に係るものである。
【背景技術】
【０００３】
従来、例えば特許文献１等に記載されているように、磁歪アクチュエータで振動板を駆動して音声出力を得る音声出力装置が知られている。磁歪アクチュエータとは、外部磁界を与えると形状が変化する磁歪素子を使用したアクチュエータである。
【０００４】
図３３は、この種の音声出力装置３００の構成例を示している。この音声出力装置３００は、プレーヤ３０１、アンプ３０２、磁歪アクチュエータ３０３および振動板３０４からなっている。
【０００５】
プレーヤ３０１は、例えばＣＤ(Compact Disc)、ＭＤ(Mini Disc)、ＤＶＤ(Digital Versatile Disc)等を再生して音声信号を出力する。このプレーヤ３０１から出力される音声信号はアンプ３０２で増幅された後に磁歪アクチュエータ３０３に供給される。磁歪アクチュエータ３０３は、変位出力を伝達する駆動ロッド３０３ａを有しており、この駆動ロッド３０３ａの先端が振動板３０４に当接されている。
【０００６】
磁歪アクチュエータ３０３は、音声信号に基づいて、振動板３０４を駆動する。すなわち、磁歪アクチュエータ３０３の駆動ロッド３０３ａが音声信号波形に対応して変位し、その変位が振動板３０４に伝達される。これにより、振動板３０４からは、音声信号に対応した音声が出力される。
【０００７】
【特許文献１】特開平０４−３１３９９９号公報
【発明の開示】
【発明が解決しようとする課題】
【０００８】
磁歪アクチュエータは、形状が変化する際の発生応力が大きいため、たとえ磁歪アクチュエータが小型であっても、振動させる振動板によっては、比較的大音量で鳴らすことができ、また比較的硬い振動板（鉄板など）でさえも鳴らすことができる。また、この磁歪アクチュエータは応答速度にも優れ、磁歪素子単体はnsecオーダーで動作する。
【０００９】
ここで、携帯性のあるスピーカシステムを考える。一般的なスピーカでは、音量に相当する大きさのスピーカ径が必要となる。携帯性を重視し、小型化、軽量化を考えたときは、スピーカ径を小さくすることになる。しかしその場合には、充分な音量を確保できなくなる。つまり、携帯性と音量とはトレードオフの関係にある。
【００１０】
この発明の目的は、携帯性を保ちながら、充分な音量を得ることができる携帯音声駆動装置を提供することにある。
【課題を解決するための手段】
【００１１】
この発明の概念は、
音声信号を出力する音声信号出力部と、
上記音声信号出力部から出力される音声信号に基づいて駆動される磁歪アクチュエータとを備え、
上記磁歪アクチュエータは、駆動ロッドの変位を伝達する変位伝達部が筐体より突出した状態で、あるいは該変位伝達部が筐体より突出可能に配設されている
ことを特徴とする携帯音声駆動装置にある。
【００１２】
この発明においては、磁歪アクチュエータを備えている。この磁歪アクチュエータは、音声信号出力部から出力される音声信号に基づいて駆動される。例えば、携帯音声駆動装置がＨＤＤ(Hard Disk Drive)プレーヤであれば、磁歪アクチュエータは、ＨＤＤから読み出された圧縮音声データが伸長処理されて得られた音声信号で駆動される。また例えば、携帯音声駆動装置が携帯電話機であれば、磁歪アクチュエータは、音声処理部で圧縮音声データが伸長処理されて得られた音声信号で駆動される。
【００１３】
この磁歪アクチュエータは、駆動ロッドの変位を伝達する変位伝達部が筐体より突出した状態で配設される。あるいは、この磁歪アクチュエータは、変位伝達部が筐体より突出可能に配設される。この場合、筐体から突出した変位伝達部を所定の振動板に当接させることで、この振動板を振動させて音声出力を得ることができる。
【００１４】
ここで、磁歪アクチュエータは、例えば、一の面が振動板で構成されている小筐体に、駆動ロッドが一の面に当接された状態で収納されているか、駆動ロッドの変位を拡大する変位拡大器に取り付けられているか、あるいは小筐体に収納されてもおらず、変位拡大器に取り付けられてもいない、いわゆるむき出し状態におかれる。
【００１５】
磁歪アクチュエータが小筐体に収納されている場合、変位伝達部は振動板で構成される一の面である。また、磁歪アクチュエータが変位拡大器に取り付けられている場合、変位伝達部は変位拡大器である。また、磁歪アクチュエータがむき出し状態にある場合、変位伝達部は駆動ロッドである。
【００１６】
この発明の携帯音声駆動装置は、変位伝達部が当接される所定の振動板が大きいときには充分な音量を得ることができ、しかも充分な音量を得るために大きな振動板を備えるものではなく携帯性を保つことができる。ここで、駆動ロッドが筐体より突出可能に配設される場合には、この駆動ロッドを所定の振動板に当接させて音声出力を得るときだけ、当該駆動ロッドを筐体から突出した状態とでき、その他のときに駆動ロッドの突出が邪魔になることを回避できる。
【００１７】
例えば、筐体は、変位伝達部を所定の振動板に当接した状態で、この所定の振動板に吸着するための吸盤を有するものとされる。この吸盤によって筐体を所定の振動板に吸着させておくことで、変位伝達部が所定の振動板に当接した状態を保持でき、ユーザが変位伝達部を所定の振動板に当接した状態を保持するように筐体を持ち続けることは必要なく、使い勝手が向上する。
【００１８】
例えば、音声信号出力部と磁歪アクチュエータとの間に、音声信号の周波数特性を補正するイコライザ部が挿入され、ユーザが、このイコライザ部の補正内容を複数の補正内容から選択する構成としてもよい。所定の振動板からの音声出力の周波数特性は、変位伝達部が当接される所定の振動板の材質（例えば木、ガラス、金属、プラスチック）、振動板の厚さ等によって影響を受ける。そこで、イコライザ部の補正内容を複数の材質、厚さに対応した補正内容から選択する構成とすることで、所定の振動板の材質、厚さに応じた周波数特性の補正が可能となり、音声出力の周波数特性が、所定の振動板の材質、厚さに依らずに、所定の周波数特性に近づくようにできる。
【００１９】
例えば、磁歪アクチュエータの配設状態を、駆動ロッドが筐体より突出した第１の状態、および駆動ロッドが振動板に当接した第２の状態に切り換える切り換え機構をさらに備えるようにしてもよい。この場合、駆動ロッドが筐体より突出していない第２の状態では、この駆動ロッドが振動板に当接されるため、この振動板を振動させて音声出力を得ることができる。
【００２０】
例えば、磁歪アクチュエータは筐体に着脱自在に配設され、この磁歪アクチュエータが筐体から取り外されるとき、音声信号出力部から出力される音声信号を無線送信する無線送信部と、磁歪アクチュエータに一体的に固定され、磁歪アクチュエータが筐体から取り外されるとき、無線送信部から送られてくる音声信号を受信する無線受信部とをさらに備えるようにしてもよい。
【００２１】
この場合、磁歪アクチュエータが筐体から取り外されるとき、音声信号出力部から出力される音声信号は無線送信部から磁歪アクチュエータ側の無線受信部に送られる。そして、磁歪アクチュエータは、この無線受信部で受信された音声信号に基づいて駆動される。そのため、この筐体から取り外された磁歪アクチュエータの変位伝達部を所定の振動板に当接させることで、この振動板を振動させて、音声出力を得ることができる。
【００２２】
筐体から取り外された磁歪アクチュエータのみを所定の振動板に取り付ければよく、取扱が容易となる。この場合、磁歪アクチュエータは、例えば吸盤により所定の振動板に吸着されるようにして、ユーザの使い勝手が向上するようにしてもよい。
【発明の効果】
【００２３】
この発明によれば、磁歪アクチュエータを、駆動ロッドの変位を伝達する変位伝達部が筐体より突出した状態で、あるいはその変位伝達部が筐体より突出可能に、配設するものであり、変位伝達部を所定の振動板に当接させて音声出力を得ることができ、携帯性を保ちながら、充分な音量を得ることができる。
【発明を実施するための最良の形態】
【００２４】
この発明の第１の実施の形態について説明する。図１は、第１の実施の形態としてのＨＤＤプレーヤの１００の回路構成を示している。
【００２５】
このＨＤＤプレーヤ１００は、プレーヤ全体の動作を制御するコントロール回路１０１を有している。このコントロール回路１０１には、ユーザインタフェースとしての、操作部１０２および表示部１０３が接続されている。表示部１０３は、例えばＬＣＤ(Liquid Crystal Display)で構成される。
【００２６】
また、このＨＤＤプレーヤ１００は、周辺機器インタフェース（Ｉ／Ｆ）１０４と、ＨＤＤ１０５と、デコーダ１０６と、イコライザ１０７と、Ｄ／Ａコンバータ１０８と、出力アンプ１０９と、磁歪アクチュエータ１１０と、切換スイッチ１１６と、ヘッドホンジャック１１７とを有している。
【００２７】
周辺機器インタフェース１０４は、図示しないパーソナルコンピュータ（ＰＣ）との間で圧縮音声データの伝送を行うための、例えばＵＳＢ(Universal Serial Bus)あるいはＩＥＥＥ１３９４等のインタフェースである。
【００２８】
ＨＤＤ１０５は、パーソナルコンピュータから周辺機器インタフェース１０４を介して送られてくる圧縮音声データを記憶する。デコーダ１０６は、ＨＤＤ１０５から読み出された圧縮音声データに対して伸長処理を施す。イコライザ１０７は、デコーダ１０６の出力音声データに対して周波数特性の補正処理を行う。
【００２９】
後述するように、ユーザの操作により、出力アンプ１０９からの音声信号を磁歪アクチュエータ１１０に駆動信号として供給するアクチュエータ出力状態と、出力アンプ１０９からの音声信号をヘッドホンジャック１１７に出力するヘッドホン出力状態とを切り換えることができる。さらに、アクチュエータ出力状態では、ユーザの操作により、駆動ロッド１１０ａが筐体１２０より突出した突出状態（第１の状態）、または駆動ロッド１１０ａが収納凹部１２２に収納された収納状態（第２の状態）が選択される。
【００３０】
アクチュエータ出力状態で、かつ第１の状態が選択されるときは、磁歪アクチュエータ１１０の駆動ロッド１１０ａに当接される所定の振動板から音声出力が得られる。この音声出力の周波数特性は、所定の振動板の材質（例えば木、ガラス、金属、プラスチック）、振動板の厚さ等によって影響を受ける。そのため、このときは、イコライザ１０７の補正内容が、複数の材質、厚さに対応した補正内容から、ユーザが選択可能とされている。
【００３１】
また、アクチュエータ出力状態で、かつ第２の状態が選択されるときは、駆動ロッド１１０が筐体上部に取り付けられた振動板に当接した状態となるので、イコライザ１０７の補正内容は、その振動板に対応した補正内容に自動的に設定される。ヘッドホン出力状態では、イコライザ１０７の補正内容は、コントロール回路１０１の制御により、ヘッドホンに対応した補正内容に自動的に設定される。
【００３２】
Ｄ／Ａコンバータ１０８は、イコライザ１０７で周波数特性が補正された音声データをデジタル信号からアナログ信号に変換する。出力アンプ１０９は、Ｄ／Ａコンバータ１０８から出力される音声信号を増幅する。
【００３３】
切換スイッチ１１６は、出力アンプ１０９からの音声信号を、コントロール回路１０１の制御のもと、磁歪アクチュエータ１１０に駆動信号として供給するか、あるいはヘッドホンジャック１１７に出力する。この切換スイッチ１１６の可動端子は出力アンプ１０９の出力側に接続され、そのａ側の固定端子は磁歪アクチュエータ１１０に接続され、さらにそのｂ側の固定端子はヘッドホンジャック１１７に接続される。
【００３４】
この場合、ユーザ操作でアクチュエータ出力状態が選択されたとき、切換スイッチ１１６はａ側に接続され、出力アンプ１０９からの音声信号は切換スイッチ１１６のａ側を介して磁歪アクチュエータ１１０に駆動信号として供給される。一方、ユーザ操作でヘッドホン出力状態が選択されたとき、切換スイッチ１１６はｂ側に接続され、出力アンプ１０９からの音声信号は切換スイッチ１１６のｂ側を介してヘッドホンジャック１１７に出力される。
【００３５】
図２Ａは、磁歪アクチュエータ１１０の構成例を示している。磁歪アクチュエータ１１０は、伸長方向に変位を生ずる棒状の磁歪素子１５１、この磁歪素子１５１に制御磁界を印加するために、この磁歪素子１５１の周囲に配置された磁界発生部としてのソレノイドコイル１５２、磁歪素子１５１の一端に連結されて磁歪アクチュエータ１１０の変位出力を伝達する可動部材たる駆動ロッド１１０ａ、および磁歪素子１５１とソレノイドコイル１５２を収納する収納部１５４によって構成されている。
【００３６】
収納部１５４は、固定盤１６１、永久磁石１６２および筒状ケース１６３で構成されている。固定盤１６１には、磁歪素子１５１の他端が連結されており、この固定盤１６１によって磁歪素子１５１が支持されている。磁歪素子１５１に静的バイアス磁界を印加する永久磁石１６２と磁気回路構成部材である筒状ケース１６３は、収納される磁歪素子１５１の周囲に配されている。筒状ケース１６３は、永久磁石１６２の駆動ロッド１１０ａ側と固定盤１６１側に取り付けられており、強磁性体を用いて構成することで、効率よく磁歪素子１５１に静的バイアス磁界を印加できる。また、固定盤１６１も強磁性体を用いて構成することで、さらに効率よく磁歪素子１５１に静的バイアス磁界を印加できる。
【００３７】
駆動ロッド１１０ａと収納部１５４との間には間隙１５５が設けられ、駆動ロッド１１０ａは永久磁石１６２によって吸引されるように強磁性体を用いて形成される。これにより、駆動ロッド１１０ａと収納部１５４との間で磁気的な吸引力を発生させ、この磁気的な吸引力により駆動ロッド１１０ａに取り付けられた磁歪素子１５１に予荷重が加えられる。
【００３８】
図２Ｂは、図２Ａに示す磁歪アクチュエータ１１０における磁束線図を示している。永久磁石１６２から生じた磁束線は、筒状ケース１６３を通過したのち、間隙１５５、駆動ロッド１１０ａ、固定盤１６１を介して永久磁石１６２へ向かうことになる。このため、駆動ロッド１１０ａと収納部１５４との間で磁気的な吸引力が生じ、この磁気的な吸引力により磁歪素子１５１に予荷重を印加させることができる。また、磁束線の一部は、筒状ケース１６３を通過したのち、間隙１５５、駆動ロッド１１０ａ、磁歪素子１５１、固定盤１６１を介して永久磁石１６２へ向かうことになる。このため、磁歪素子１５１に静的バイアス磁界を印加できる。
【００３９】
この磁歪アクチュエータ１１０では、駆動ロッド１１０ａが軸受によって支持されていないことから、駆動ロッド１１０ａと軸受との摩擦の問題がないため、変位出力の損失を大幅に低減できる。
【００４０】
また、この磁歪アクチュエータ１１０では、磁気的吸引力によって磁歪素子１５１に予荷重を加えるものであることから、磁歪素子１５１の変位の周期が短くても予荷重を安定して加え続けることができ、ソレノイドコイル１５２に供給される制御電流に応じた変位出力を正しく得ることができる。
【００４１】
そのため、この磁歪アクチュエータ１１０では、ソレノイドコイル１５２に流れる制御電流と駆動ロッド１１０ａの変位との関係がリニアな関係に近づくことから、この磁歪アクチュエータ１１０の特性により発生する歪みが軽減され、従ってフィードバック補正の負担を軽減できる。
【００４２】
また、この磁歪アクチュエータ１１０では、永久磁石１６２は、２つの筒状ケース１６３の間に介在されることから、磁歪素子１５１に印加される静的バイアス磁界を、固定盤１６１の位置に永久磁石を設ける場合に比べて均一にできる。さらに、駆動ロッド１１０ａを支持する軸受や、駆動ロッド１１０ａと収納部１５４を接続するための連結部材、磁歪素子１５１に予荷重を加えるためのばね等を設ける必要がなく、小型化が容易であるとともに安価に構成できる。
【００４３】
図１に示すＨＤＤプレーヤ１００の動作を説明する。
【００４４】
ＨＤＤ１０５には、図示しないパーソナルコンピュータから周辺機器Ｉ／Ｆ１０４を介して、圧縮音声データが送られて記憶される。
【００４５】
再生時、ユーザが操作部１０２を操作することで、アクチュエータ出力状態またはヘッドホン出力状態が選択される。アクチュエータ出力状態が選択されたとき切換スイッチ１１６はａ側に接続され、一方ヘッドホン出力状態が選択されたとき切換スイッチ１１６はｂ側に接続される。
【００４６】
この再生時、ＨＤＤ１０５から圧縮音声データが読み出され、この圧縮音声データはデコーダ１０６に供給される。デコーダ１０６では、圧縮音声データに対して伸長処理が施される。このデコーダ１０６から出力される音声データはイコライザ１０７に供給される。イコライザ１０７では、音声データ対して周波数特性の補正処理が施される。アクチュエータ出力状態で、第１の状態が選択されている場合、ユーザにより、複数の材質、厚さに対応した補正内容から、所定の補正内容が選択される。また、アクチュエータ出力状態で、第２の状態が選択されている場合、自動的に筐体上部に取り付けられた振動板に対応した補正内容とされる。さらに、ヘッドホン出力状態が選択されている場合、自動的にヘッドホンに対応した補正内容とされる。
【００４７】
イコライザ１０７で周波数特性が補正された音声データは、Ｄ／Ａコンバータ１０８で、デジタル信号からアナログ信号に変換される。Ｄ／Ａコンバータ１０８から出力されるアナログの音声信号は、出力アンプ１０９で増幅される。そして、アクチュエータ出力状態が選択されている場合、出力アンプ１０９からの音声信号は切換スイッチ１１６のａ側を介して磁歪アクチュエータ１１０に駆動信号として供給される。一方、ヘッドホン出力状態が選択されている場合、出力アンプ１０９からの音声信号は切換スイッチ１１６のｂ側を介してヘッドホンジャック１１７に出力される。
【００４８】
図３〜図５は、ＨＤＤプレーヤ１００の外観を示している。図３は、ＨＤＤプレーヤ１００を正面側から見た略線的斜視図である。図４、図５は、ＨＤＤプレーヤ１００を裏面側から見た略線的斜視図である。
【００４９】
ＨＤＤプレーヤ１００の筐体１２０の正面側には、図３に示すように、操作部１０２および表示部１０３が配設されている。また、この筐体１２０の左側面側にはヘッドホンジャック１１７が配設されている。また、筐体１２０の上部には、図３に示すように、所定の材料、例えば金属板からなる振動板１２１が取り付けられている。
【００５０】
また、筐体１２０の裏面側には、図４、図５に示すように、上部に、磁歪アクチュエータ１１０を回動可能に収納する収納凹部１２２が設けられている。また、筐体１２０の裏面側の四隅には、後述するように、この筐体１２０から突出した駆動ロッド１１０ａを所定の振動板に当接させた状態で、筐体１２０をその所定の振動板に吸着させるための吸盤１２５が取り付けられている。
【００５１】
筐体１２０の裏面側に設けられたスライド操作部１２３を「ＯＮ」側とするとき、図４に示すように、磁歪アクチュエータ１１０は、回転軸１２４（図４には図示せず）を中心に回転し、駆動ロッド１１０ａが筐体１２０より突出した突出状態（第１の状態）となる。図６は、この突出状態を裏面側から見た図である。
【００５２】
駆動ロッド１１０ａが筐体１２０から突出した突出状態では、図７に示すように、磁歪アクチュエータ１１０の駆動ロッド１１０ａを所定の振動板１３０に当接させた状態を示している。この当接状態で、上述したように出力アンプ１０９で増幅された音声信号により磁歪アクチュエータ１１０が駆動されると、振動板１３０が音声信号に対応して振動し、この振動板１３０から音声信号による音声が出力される。
【００５３】
このように磁歪アクチュエータ１１０の駆動ロッド１１０ａを所定の振動板１３０に当接し、この振動板１３０から音声出力を得る場合、ユーザは、上述したイコライザ１０７における周波数特性の補正内容として、この振動板１３０の材質に対応したものを選択できる。
【００５４】
例えば、スライド操作部１２３を「ＯＮ」側とするとき、図８に示すように、筐体１２０の正面側に配設された表示部１０３に、材質、厚さの選択枝が表示される（なお、図８の表示例では材質の選択枝のみ示しているが、厚さの選択枝は例えば材質が選択された後に表示される）。この表示状態で、ユーザは、操作部１０２を操作して、上述の所定の振動板１３０の材質、あるいはその材質に近い材質を選択できる。これにより、イコライザ１０７における周波数特性の補正内容を、所定の振動板１３０の材質に対応したものとすることができ、この振動板１３０からの音声出力の周波数特性が、この振動板１３０の材質に依らずに、所定の周波数特性に近づくようにできる。
【００５５】
なお、ＨＤＤ１０５に種々の材質の振動板にマッチした曲をオリジナルコンテンツとしてダウンロードあるいは予めプリセットしておくことで、所定の振動板１３０の材質にマッチした曲を容易に再生して楽しむことができる。例えば、図９は、ＨＤＤ１０５に記憶されている「木」にマッチした曲、例えばＡ曲、Ｂ曲、Ｃ曲を表示部１０３に表示した状態を示している。ユーザは、この表示状態から操作部１０２を操作して所望の曲を選択して再生できる。
【００５６】
また、このように駆動ロッド１１０ａが所定の振動板１３０に当接した状態では、筐体１２０の裏面側に取り付けられた吸盤１２５により、筐体１２０をこの振動板１３０に吸着させることができる。これにより、ユーザが筐体１２０を持ち続けなくても、その当接状態を保持でき、使い勝手が向上する。
【００５７】
また、筐体１２０の裏面側に設けられたスライド操作部１２３を「ＯＦＦ」側とするとき、図５に示すように、磁歪アクチュエータ１１０は、回転軸１２４（図５には図示せず）を中心に回転し、駆動ロッド１１０ａが収納凹部１２２に収納された収納状態（第２の状態）となる。図１０は、この収納状態を裏面側から見た図である。
【００５８】
駆動ロッド１１０ａが収納凹部１２２に収納された収納状態では、図１０、図１１に示すように、磁歪アクチュエータ１１０の駆動ロッド１１０ａが振動板１２１に当接した状態となる。この当接状態で、上述したように出力アンプ１０９で増幅された音声信号により磁歪アクチュエータ１１０が駆動されると、振動板１２１が音声信号に対応して振動し、この振動板１２１から音声信号による音声が出力される。なおこの場合、イコライザ１０７における周波数特性の補正内容は、この振動板１２１に対応した補正内容に自動的に設定される。
【００５９】
なお、アクチュエータ出力状態またはヘッドホン出力状態のいずれかを選択する際、図１２に示すように、筐体１２０の正面側に配設された表示部１０３に、アクチュエータおよびヘッドホンの選択枝が表示される。この表示状態で、ユーザは、操作部１０２を操作して、アクチュエータ出力状態またはヘッドホン出力状態のいずれかを選択できる。
【００６０】
上述したＨＤＤプレーヤ１００によれば、駆動ロッド１１０ａを筐体１２０から突出させた突出状態とし、この駆動ロッド１１０ａが当接する所定の振動板１３０を大きいものとすることで、充分な音量を得ることができ、しかも充分な音量を得るために大きな振動板を備えるものではなく携帯性を保つことができる。
【００６１】
また、このＨＤＤプレーヤ１００においては、駆動ロッド１１０ａを所定の振動板１３０に当接させて音声出力を得るときだけ、当該駆動ロッド１１０ａを筐体１２０から突出した状態とでき、その他のときは駆動ロッド１１０ａが収納凹部１２２に収納された状態とできるので、駆動ロッド１１０ａの突出が邪魔になることを回避できる。
【００６２】
上述したＨＤＤプレーヤ１００は、説明を簡単にするため、筐体１２０に磁歪アクチュエータ１１０が１個のみ配設されたモノラル方式のものを示した。しかし、筐体１２０に磁歪アクチュエータ１１０が２個配設されたステレオ方式のＨＤＤプレーヤ１００′も同様に構成できる。図１３、図１４は、筐体１２０に磁歪アクチュエータ１１０が２個配設されたＨＤＤプレーヤ１００′において、駆動ロッド１１０ａが突出された突出状態を示している。
【００６３】
また、上述したＨＤＤプレーヤ１００は、アクチュエータ出力状態とヘッドホン出力状態とを切り換えて使用するものを示したが、これら２つの出力状態を併用し得る構成とすることもできる。
【００６４】
図１５は、アクチュエータ出力状態とヘッドホン出力状態とを併用し得る、第２の実施の形態としてのＨＤＤプレーヤ１００Ｂの構成を示している。この図１５において、図１と対応する部分には同一符号を付し、その詳細説明は省略する。
【００６５】
このＨＤＤプレーヤ１００Ｂは、磁歪アクチュエータ１１０の駆動信号を得るための、イコライザ１０７Ａ、Ｄ／Ａコンバータ１０８Ａおよび出力アンプ１０９Ａを有している。これらイコライザ１０７Ａ、Ｄ／Ａコンバータ１０８Ａおよび出力アンプ１０９Ａは、図１に示すＨＤＤプレーヤ１００におけるイコライザ１０７、Ｄ／Ａコンバータ１０８および出力アンプ１０９にそれぞれ対応している。
【００６６】
この場合、イコライザ１０７Ａにおける周波数特性の補正内容は、駆動ロッド１１０ａが筐体１２０より突出した突出状態（第１の状態）が選択されている場合には、複数の材質、厚さに対応した補正内容からユーザのよって選択された所定の補正内容とされる。また、このイコライザ１０７Ａにおける周波数特性の補正内容は、駆動ロッド１１０ａが収納凹部１２２に収納された収納状態（第２の状態）が選択されている場合には、自動的に筐体１２０の上部に取り付けられた振動板１２１（図３〜図５参照）に対応した補正内容とされる。
【００６７】
また、このＨＤＤプレーヤ１００Ｂは、ヘッドホン出力を得るための、イコライザ１０７Ｈ、Ｄ／Ａコンバータ１０８Ｈおよび出力アンプ１０９Ｈを有している。これらイコライザ１０７Ｈ、Ｄ／Ａコンバータ１０８Ｈおよび出力アンプ１０９Ｈは、図１に示すＨＤＤプレーヤ１００におけるイコライザ１０７、Ｄ／Ａコンバータ１０８および出力アンプ１０９にそれぞれ対応している。この場合、イコライザ１０７Ｈにおける周波数特性の補正内容は、ヘッドホンに対応した補正内容とされている。
【００６８】
このＨＤＤプレーヤ１００Ｂのその他は、図１に示すＨＤＤプレーヤ１００と同様に構成される。
【００６９】
このＨＤＤプレーヤ１００Ｂでは、デコーダ１０６から出力される音声データは、イコライザ１０７Ａ、Ｄ／Ａコンバータ１０８Ａおよび出力アンプ１０９Ａを介して、磁歪アクチュエータ１１０に駆動信号として供給される。また、このＨＤＤプレーヤ１００Ｂでは、デコーダ１０６から出力される音声データは、イコライザ１０７Ｈ、Ｄ／Ａコンバータ１０８Ｈおよび出力アンプ１０９Ｈを介して、ヘッドホンジャック１１７にヘッドホン用の音声信号として出力される。
【００７０】
このように、図１５に示すＨＤＤプレーヤ１００Ｂでは、アクチュエータ出力状態とヘッドホン出力状態とを併用できる。従って、ヘッドホンジャック１１７にヘッドホンを接続し、このヘッドホンで音声出力を得ている状態で、さらに磁歪アクチュエータ１１０を駆動して振動板を振動させ、この振動板から音声出力を得ることができる。
【００７１】
次に、この発明の第３の実施の形態について説明する。図１６は、第３の実施の形態としてのＨＤＤプレーヤ１００Ａの本体部の回路構成を示している。この図１６において、図１と対応する部分には同一符号を付し、適宜、その詳細説明を省略する。
【００７２】
このＨＤＤプレーヤ１００Ａは、本体部の動作を制御するコントロール回路１０１を有している。このコントロール回路１０１には、ユーザインタフェースとしての、操作部１０２および表示部１０３が接続されている。
【００７３】
また、このＨＤＤプレーヤ１００Ａは、プレーヤ全体の動作を制御するコントロール回路１０１と、周辺機器インタフェース１０４と、ＨＤＤ１０５と、デコーダ１０６と、イコライザ１０７とを有している。これらは、図１のＨＤＤプレーヤ１００におけるものと同様のものである。コントロール回路１０１には、ユーザインタフェースとしての、操作部１０２および表示部１０３が接続されている。
【００７４】
また、ＨＤＤプレーヤ１００Ａは、切換スイッチ１１１と、データインタフェース（Ｉ／Ｆ）１１２と、ベースバンド処理部１１３と、無線部１１４と、送信アンテナ１１５とを有している。ここで、ベースバンド処理部１１３、無線部１１４および送信アンテナ１１５は、無線送信部を構成している。
【００７５】
切換スイッチ１１１は、イコライザ１０７で周波数特性が補正された音声データを、データインタフェース（Ｉ／Ｆ）１１２またはベースバンド処理部１１３に選択的に供給する。後述する磁歪アクチュエータ部を本体部に接続して使用する場合、切換スイッチ１１１はコントロール回路１０１の制御のもとａ側に接続され、イコライザ１０７の出力音声データは切換スイッチ１１１のａ側を介してデータインタフェース１１２に供給される。一方、磁歪アクチュエータ部を本体部から分離して使用する場合、切換スイッチ１１１はコントロール回路１０１の制御のもとｂ側に接続され、イコライザ１０７の出力音声データは切換スイッチ１１１のｂ側を介してベースバンド処理部１１３に供給される。
【００７６】
データインタフェース１１２は、後述する磁歪アクチュエータ部を本体部に接続して使用する場合、その磁歪アクチュエータ部のデータインタフェースを接続するための端子部である。ベースバンド処理部１１３は、音声データに対して例えばＢｌｕｅｔｏｏｔｈ通信用の変調処理を行うと共に、その変調信号に対してデジタル信号からアナログ信号に変換してベースバンド信号を得る。無線部１１４は、ベースバンド処理部１１３の出力アナログ信号を無線通信周波数である２．５ＧＨｚ帯の信号に変換して送信アンテナ１１５に供給する。送信アンテナ１１５は、無線部１１４から送られてくる２．５ＧＨｚ帯の信号を無線信号として送信する。
【００７７】
なお、ベースバンド処理部１１３および無線部１１４は、コントロール回路１０１の制御のもと、磁歪アクチュエータ部を本体部から分離して使用する場合に、動作状態とされる。
【００７８】
図１７は、図１６に示すＨＤＤプレーヤ１００Ａの本体部に接続して、あるいはこの本体部から分離して使用する磁歪アクチュエータ部１４０の構成を示している。この図１７において、図１と対応する部分には同一符号を付し、適宜その詳細説明を省略する。
【００７９】
この磁歪アクチュエータ部１４０は、全体の動作を制御するコントロール回路１４１を有している。また、この磁歪アクチュエータ部１４０は、受信アンテナ１４２と、無線部１４３と、ベースバンド処理部１４４とを有している。ここで、受信アンテナ１４２、無線部１４３およびベースバンド処理部１４４は、無線受信部を構成している。
【００８０】
受信アンテナ１４２は、Ｂｌｕｅｔｏｏｔｈ通信における２．５ＧＨｚ帯の無線信号を受信する。無線部１４３は、受信アンテナ１４２の受信信号に周波数変換の処理を行ってベースバンド信号を得る。ベースバンド処理部１４４は、無線部１４３で得られるベースバンド信号に対してアナログ信号からデジタル信号に変換する処理を行うと共に、そのデジタル信号に対して復調処理を行って音声データを得る。
【００８１】
また、磁歪アクチュエータ部１４０は、切換スイッチ１４５と、データインタフェース（Ｉ／Ｆ）１４６と、Ｄ／Ａコンバータ１０８と、出力アンプ１０９と、磁歪アクチュエータ１１０とを有している。
【００８２】
データインタフェース１４６は、磁歪アクチュエータ部１４０を上述のＨＤＤプレーヤ１００Ａの本体部に接続して使用する場合、その本体部のデータインタフェース１１２に接続される端子部である。切換スイッチ１４５は、データインタフェース１１２に供給された音声データ、あるいはベースバンド処理部１４４で得られた音声データをＤ／Ａコンバータ１０８に選択的に供給する。
【００８３】
磁歪アクチュエータ部１４０を本体部に接続して使用する場合、切換スイッチ１４５はコントロール回路１４１の制御のもとｃ側に接続され、データインタフェース１４６に供給された音声データは切換スイッチ１４５のｃ側を介してＤ／Ａコンバータ１０８に供給される。一方、磁歪アクチュエータ部１４０を本体部から分離して無線使用する場合、切換スイッチ１４５はコントロール回路１４１の制御のもとｄ側に接続され、ベースバンド処理部１４４で得られた音声データは切換スイッチ１４５のｄ側を介してＤ／Ａコンバータ１０８に供給される。
【００８４】
Ｄ／Ａコンバータ１０８、出力アンプ１０９および磁歪アクチュエータ１１０は、図１のＨＤＤプレーヤ１００におけるものと同様のものである。
【００８５】
上述したように、ＨＤＤプレーヤ１００Ａにおいては、磁歪アクチュエータ部１４０を本体部に接続して使用し、あるいはこの磁歪アクチュエータ部１４０を本体部から分離して使用できる。ユーザは、磁歪アクチュエータ部１４０の接続使用あるいは無線使用のいずれかを任意に選択できる。この場合、図１８に示すように、ユーザは、操作部１０２を操作して、ＨＤＤプレーヤ１００Ａの筐体１２０の正面側に配設された表示部１０３に選択画面が表示されるようにし、その後「ＯＮ」（無線使用）または「ＯＦＦ」（接続使用）を選択する。なお、図１８において、１２０ａは送信アンテナ１１５（図１６参照）が配置されている部位を示している。
【００８６】
磁歪アクチュエータ部１４０の接続使用が行われる場合、磁歪アクチュエータ部１４０は、図１９に示すように、筐体１２０の収納凹部１２２に収納された状態とされる。磁歪アクチュエータ部１４０は、磁歪アクチュエータ１１０に無線受信部等を含む回路基板部１４０ａが接続された構成となっている。このように磁歪アクチュエータ部１４０が筐体１２０の収納凹部１２２に収納された状態では、図示せずも、本体部のデータインタフェース１１２（図１６参照）が磁歪アクチュエータ部１４０のデータインタフェース１４６（図１７参照）に接続された状態となる。
【００８７】
この磁歪アクチュエータ部１４０は、上述したＨＤＤプレーヤ１００における磁歪アクチュエータ１１０と同様に、駆動ロッド１１０ａの突出状態（第１の状態）または駆動ロッド１１０ａの収納状態（第２の状態）で使用可能となる。
【００８８】
すなわち、筐体１２０の裏面側に設けられたスライド操作部１２３を「ＯＮ」側とするとき、図１９、図２０に実線で示すように、磁歪アクチュエータ部１４０は、回転軸１２４を中心に回転し、駆動ロッド１１０ａが筐体１２０より突出した状態となる。一方、スライド操作部１２３を「ＯＦＦ」側とするとき、図１９、図２０に破線で示すように、磁歪アクチュエータ部１４０は、回転軸１２４を中心に回転し、駆動ロッド１１０ａが収納凹部１２２に収納され、振動板１２１に当接した状態となる。
【００８９】
なお、図１９、図２０において、図６、図７、図１０、図１１と対応する部分には同一符号を付して示し、適宜説明を省略している。
【００９０】
磁歪アクチュエータ部１４０の無線使用が行われる場合、磁歪アクチュエータ部１４０は、図１９に破線で示すように、筐体１２０の収納凹部１２２から取り出された状態とされる。そして、磁歪アクチュエータ部１４０は、磁歪アクチュエータ１１０の駆動ロッド１１０ａが所定の振動板に当接した状態で、当該所定の振動板上に設置されて使用される。
【００９１】
図２１は、磁歪アクチュエータ部１４０が所定の振動板としての磁性体の壁１３０ａ上に設置された例を示している。この場合、磁歪アクチュエータ１１０を構成する永久磁石１６２（図２参照）の磁力によって、磁歪アクチュエータ部１４０は磁性体の壁１３０ａ上に設置された状態が保持される。
【００９２】
また、図２２は、磁歪アクチュエータ部１４０が所定の振動板としての非磁性体の壁１３０ｂ上に設置された例を示し、図２３は、磁歪アクチュエータ部１４０が所定の振動板としての机の上板（非磁性体）１３０ｃの下面に設置された例を示している。このように磁歪アクチュエータ部１４０を非磁性体の壁１３０ｂまたは机の上板（非磁性体）１３０ｃに設置する場合、例えば吸盤１４７によって、磁歪アクチュエータ部１４０は壁１３０ｂまたは机の上板１３０ｃに設置された状態が保持される。
【００９３】
図２４Ａ，Ｂは、吸盤付きの磁歪アクチュエータ部１４０の構成を示している。図２４Ａは側面側から見た図であり、図２４Ｂは駆動ロッド１１０ａの突出側から見た図である。この場合、磁歪アクチュエータ１１０の駆動ロッド１１０ａ側に、駆動ロッド１１０ａが貫通される丸穴１４９を中央に持つ例えば正方形の吸盤取り付け板１４８が固定され、この吸盤取り付け板１４８の四隅に吸盤１４７が取り付けられている。このように磁歪アクチュエータ部１４０を吸盤１４７によって所定の振動板に吸着させることで、ユーザは磁歪アクチュエータ部１４０をその駆動ロッド１１０ａが振動板に当接した状態で持ち続けなくても、その当接状態を保持でき、使い勝手が向上する。
【００９４】
図１６に示すＨＤＤプレーヤ１００Ａの本体部および図１７に示す磁歪アクチュエータ部１４０の再生時における動作を説明する。
【００９５】
最初に、磁歪アクチュエータ部１４０を本体部に接続して使用する「接続使用」の動作を説明する。この場合、本体部では、切換スイッチ１１１はａ側に接続され、ベースバンド処理部１１３および無線部１１４は非動作状態とされ、磁歪アクチュエータ部１４０では、切換スイッチ１４５はｃ側に接続され、無線部１４３およびベースバンド処理部１４４は非動作状態とされる。
【００９６】
ＨＤＤ１０５から圧縮音声データが読み出され、この圧縮音声データはデコーダ１０６に供給される。デコーダ１０６では、圧縮音声データに対して伸長処理が施される。このデコーダ１０６から出力される音声データはイコライザ１０７に供給される。イコライザ１０７では、音声データ対して周波数特性の補正処理が施される。
【００９７】
イコライザ１０７で周波数特性が補正された音声データは、切換スイッチ１４５のａ側およびデータインタフェース１１２を介して磁歪アクチュエータ１４０のデータインタフェース１４６に供給される。
【００９８】
そして、データインタフェース１４６に供給された音声データは、切換スイッチ１４５のｃ側を介してＤ／Ａコンバータ１０８に供給され、デジタル信号からアナログ信号に変換される。Ｄ／Ａコンバータ１０８から出力されるアナログの音声信号は、出力アンプ１０９で増幅され、その後に磁歪アクチュエータ１１０に駆動信号として供給される。
【００９９】
これにより、駆動ロッド１１０ａの突出状態（第１の状態）では、この駆動ロッド１１０ａが当接される所定の振動板が振動し、この所定の振動板から音声出力が得られる。また、駆動ロッド１１０ａの収納状態（第２の状態）では、この駆動ロッド１１０ａが当接される、筐体１２０に取り付けられた振動板１２１が振動し、この振動板１２１から音声出力が得られる。
【０１００】
次に、磁歪アクチュエータ部１４０を本体部から分離して使用する「無線使用」の動作を説明する。この場合、本体部では、切換スイッチ１１１はｂ側に接続され、ベースバンド処理部１１３および無線部１１４は動作状態とされ、磁歪アクチュエータ部１４０では、切換スイッチ１４５はｄ側に接続され、無線部１４３およびベースバンド処理部１４４は動作状態とされる。
【０１０１】
ＨＤＤ１０５から圧縮音声データが読み出され、この圧縮音声データはデコーダ１０６に供給される。デコーダ１０６では、圧縮音声データに対して伸長処理が施される。このデコーダ１０６から出力される音声データはイコライザ１０７に供給される。イコライザ１０７では、音声データ対して周波数特性の補正処理が施される。
【０１０２】
イコライザ１０７で周波数特性が補正された音声データは、切換スイッチ１４５のａ側を介してベースバンド処理部１１３に供給される。ベースバンド処理部１１３では音声データが変調され、さらにアナログ信号に変換され、ベースバンド信号が得られる。そして、このベースバンド信号は無線部で２．５ＧＨｚ帯の信号に変換され、この信号は送信アンテナ１１５から無線信号として送信される。
【０１０３】
このように本体部の送信アンテナ１１５から送信される無線信号は、磁歪アクチュエータ部１４０の受信アンテナ１４２で受信される。この受信アンテナ１４２の受信信号は無線部１４３に供給され、周波数変換されてベースバンド信号とされる。このベースバンド信号はベースバンド処理部１４４に供給される。ベースバンド処理部１４４では、ベースバンド信号に対して、アナログ信号をデジタル信号に変換する処理、さらには復調処理が行われて音声データが得られる。
【０１０４】
この音声データは、切換スイッチ１４５のｄ側を介してＤ／Ａコンバータ１０８に供給され、デジタル信号からアナログ信号に変換される。Ｄ／Ａコンバータ１０８から出力されるアナログの音声信号は、出力アンプ１０９で増幅され、その後に磁歪アクチュエータ１１０に駆動信号として供給される。これにより、磁歪アクチュエータ部１４０の駆動ロッド１１０が当接される所定の振動板が振動し、この所定の振動板から音声出力が得られる。
【０１０５】
上述したＨＤＤプレーヤ１００Ａによれば、図１に示すＨＤＤプレーヤ１００と同様に、駆動ロッド１１０ａを筐体１２０から突出させた突出状態とし、この駆動ロッド１１０ａが当接する所定の振動板１３０を大きいものとすることで、充分な音量を得ることができ、しかも充分な音量を得るために大きな振動板を備えるものではなく携帯性を保つことができる。
【０１０６】
また、このＨＤＤプレーヤ１００Ａによれば、磁歪アクチュエータ部１４０を本体部から取り外すことができ、その場合、本体部から磁歪アクチュエータ部１４０に音声データが無線送信され、磁歪アクチュエータ部１４０の磁歪アクチュエータ１１０はその音声データで駆動できるものであり、ＨＤＤプレーヤ１００Ａの全体ではなく、磁歪アクチュエータ部１４０のみを所定の振動板に設置すればよく、取扱が容易となる利益がある。
【０１０７】
なお、上述では、磁歪アクチュエータ部１４０の駆動ロッド１１０ａを所定の振動板に当接するものを示したが、図２５に示すように、一面に変位伝達部としての振動板１５１が設けられた箱状の小筐体１５０に、当該磁歪アクチュエータ部１４０をその駆動ロッド１１０ａが振動板１５１に当接するように収納し、音声出力器１６０として使用することも考えられる。筐体１５０の振動板１５１側には、この音声出力器１６０を壁などに取り付けるための吸盤１５３が設けられている。
【０１０８】
図２６は、上述した音声出力器１６０を部屋１７０の壁１７１に配設し、振動板１５１と共に壁１７１をも振動板として使用する、マルチチャネルスピーカシステムの使用例を示している。また、図２７は、上述した音声出力器１６０を、ベッド１８０のボード１８１に配設し、振動板１５１と共にボード１８１をも振動板として使用する使用例を示している。
【０１０９】
また、上述では、磁歪アクチュエータ部１４０の駆動ロッド１１０ａを所定の振動板に当接するものを示したが、図２８Ａ，Ｂに示すように、磁歪アクチュエータ部１４０を、その駆動ロッド１１０ａの変位を拡大する変位拡大器１９０に取り付けて使用することも考えられる。図２８Ａは正面図、図２８Ｂは側面図である。
【０１１０】
変位拡大器１９０は、例えばバネ材料、例えばりんせい銅が使用されて形成されている。この場合、駆動ロッド１１０ａのΔｄの変位は、変位拡大器１９０の駆動ロッド１１０ａの軸方向と直交する方向の部分（変位伝達部１９０ａ）にｐ（＞１）倍の変位となってに現れる。回路基板部１４０ａには、このように変位拡大器１９０に取り付けられた磁歪アクチュエータ部１４０を壁などに取り付けるための吸盤１９１が配設されている。
【０１１１】
また、上述では、磁歪アクチュエータ部１４０の駆動ロッド１１０ａの変位を伝達する変位伝達部（駆動ロッド１１０ａ自体、小筐体１５０に設けられた振動板１５１、変位拡大器１９０の変位伝達部）が、振動板としての壁などに当接させる例を示したが、この変位伝達部を人間の一部に当接させて、骨伝導によって音声出力を得るようにもできる。
【０１１２】
例えば、図２９Ｂに示すようにネックバンド１９３に磁歪アクチュエータ部１４０を取り付け、駆動ロッド１１０ａを、図２９Ａに示すように、例えば耳１９４の後に当接させた状態とする。この場合、駆動ロッド１１０ａの変位によって、頭蓋骨が振動し、骨伝導による音声出力が得られる。
【０１１３】
なお、上述では、筐体１２０の収納凹部１２２には、磁歪アクチュエータ１１０が、小筐体１５０に収納されてもおらず、変位拡大器１９０に取り付けられてもいない、いわゆるむき出し状態で収納される。しかし、この磁歪アクチュエータ１１０を、小筐体１５０に収納された状態（図２５参照）、あるいは変位拡大器１９０に取り付けられた状態（図２８参照）で、筐体１２０の収納凹部１２２に収納することもできる。ここで、磁歪アクチュエータ１１０がむき出しの状態にある場合、駆動ロッド１１０ａの変位を伝達する変位伝達部は駆動ロッド１１０ａそのものである。また、磁歪アクチュエータ１１０が小筐体１５０に収納されている場合、変位伝達部は振動板１５１で構成される一の面である。また、磁歪アクチュエータ１１０が変位拡大器１９０に取り付けられている場合、変位伝達部は変位拡大器１９０の駆動ロッド１１０ａの軸方向と直交する方向の部分となる。
【０１１４】
次に、この発明の第４の実施の形態について説明する。図３０は、第４の実施の形態としての携帯電話機２００の構成を示している。
【０１１５】
この携帯電話機２００は、マイクロコンピュータを有して構成され、電話機全体の動作を制御する制御部２０１を有している。この制御部２０１には、ユーザが種々の操作を行うためのキー操作部２０２、送受信状態、操作状態等を表示する、液晶表示素子等からなる表示部２０３、および多数の相手先の電話番号などを格納した電話長メモリ等として使用されるメモリ２０４が接続されている。
【０１１６】
また、携帯電話機２００は、送受信アンテナ２０５と、無線部２０６と、ベースバンド処理部２０７と、音声処理部２０８とを有している。無線部２０６は、周波数変換、復調／変調の処理を行う。ベースバンド処理部２０７は、音声情報、データ情報等の分離／合成の処理を行う。音声処理部２０８は、音声信号の復号化／符号化の処理を行う。
【０１１７】
この音声処理部２０８には、磁歪アクチュエータ１１０およびマイクロホン２１０が接続されている。なお、この磁歪アクチュエータ１１０は、図１に示すＨＤＤプレーヤ１００を構成する磁歪アクチュエータ１１０と同様のものとされる（図２Ａ，Ｂ参照）。
【０１１８】
図３１Ａ，Ｂは、携帯電話機２００における磁歪アクチュエータ１１０の取り付け状態を示している。この場合、磁歪アクチュエータ１１０は、駆動ロッド１１０ａが筐体２１１から突出した状態で配設される。
【０１１９】
図３０に示す携帯電話機２００の動作を簡単に説明する。まず、受信時の動作を説明する。送受信アンテナ２０５で受信された携帯電話信号（高周波信号）は無線部２０６に供給される。この無線部２０６では、携帯電話信号がミキサにより中間周波信号に変換され、さらにその中間周波信号からベースバンド信号が復調される。そして、このベースバンド信号はベースバンド処理部２０７に供給される。
【０１２０】
このベースバンド処理部２０７では、ベースバンド信号から音声情報、データ情報（画像情報、テキスト情報を含む）等が分離される。そして、音声情報は音声処理部２０８に供給され、データ情報は制御部２０１に供給される。制御部２０１は、データ情報に基づいた制御動作を行うと共に、必要に応じて、表示部２０３に画像、文字等を表示する。
【０１２１】
音声処理部２０８では、音声情報に対して復号化処理が行われ、音声信号が得られる。そして、この音声処理部２０８から磁歪アクチュエータ１１０に音声信号に対応したドライブ信号Ｓｄが供給される。この場合、図３２に示すように、ユーザは、磁歪アクチュエータ１１０の駆動ロッド１１０ａを耳の前や後等に接触させることで、頭蓋骨が振動し、音声信号による受話音声（骨導音）を聞くことができる。
【０１２２】
なお、磁歪アクチュエータ１１０の駆動ロッド１１０ａを所定の振動板に当接させた状態とすることで、この所定の振動板が振動し、この振動板から音声信号による受話音声を出力させることができる。
【０１２３】
次に、送信時の動作を説明する。マイクロホン１１０からの音声信号は音声処理部２０８に供給される。音声処理部２０８では、この音声信号に対して符号化処理が行われ、音声情報が得られる。この音声情報はベースバンド処理部２０７に供給される。
【０１２４】
ベースバンド処理部２０７では、音声情報と、制御部２０１から供給されるデータ情報とが合成され、送信すべきベースバンド信号が生成される。このベースバンド信号は無線部２０６に供給される。
【０１２５】
無線部２０６では、ベースバンド信号に対して変調処理が行われて中間周波信号が得られ、さらにこの中間周波信号がミキサにより携帯電話信号（高周波信号）に変換される。この携帯電話信号は送受信アンテナ２０５に供給されて送信される。
【０１２６】
上述した携帯電話機２００によれば、磁歪アクチュエータ１１０の駆動ロッド１１０ａを筐体２１１から突出した状態としているので、例えばこの駆動ロッド１１０ａを耳の前や後等に接触させて、骨伝導による受話音声（骨導音）を容易に得ることができ、あるいはこの駆動ロッド１１０ａを所定の振動板に当接させ、その所定の振動板から受話音声を容易に得ることができる。
【産業上の利用可能性】
【０１２７】
この発明は、携帯性を保ちながら、充分な音量を得ることができるものであり、ＨＤＤプレーヤ、携帯電話機などに適用できる。
【図面の簡単な説明】
【０１２８】
【図１】第１の実施の形態としてのＨＤＤプレーヤの回路構成を示すブロック図である。
【図２】磁歪アクチュエータの構成例を示す図である。
【図３】ＨＤＤプレーヤを正面側から見た略線的斜視図である。
【図４】ＨＤＤプレーヤを裏面側から見た略線的斜視図（駆動ロッドの突出状態）である。
【図５】ＨＤＤプレーヤを裏面側から見た略線的斜視図（駆動ロッドの収納状態）である。
【図６】ＨＤＤプレーヤを裏面側から見た背面図（駆動ロッドの突出状態）である。
【図７】突出状態の駆動ロッドを振動板に当接させた状態を示す図である。
【図８】イコライザの補正特性の選択を説明するための図である。
【図９】ＨＤＤに記憶さ「木」にマッチした曲の表示例を示す図である。
【図１０】ＨＤＤプレーヤを裏面側から見た背面図（駆動ロッドの収納状態）である。
【図１１】駆動ロッドを収納した状態を示す図である。
【図１２】アクチュエータ出力状態またはヘッドホン出力状態の選択を説明するための図である。
【図１３】筐体に磁歪アクチュエータが２個配設されたＨＤＤプレーヤにおいて、駆動ロッドが突出された突出状態を示す背面図である。
【図１４】筐体に磁歪アクチュエータが２個配設されたＨＤＤプレーヤにおいて、駆動ロッドが突出された突出状態を示す略線的断面図である。
【図１５】第２の実施の形態としてのＨＤＤプレーヤの回路構成を示すブロック図である。
【図１６】第３の実施の形態としてのＨＤＤプレーヤの本体部の回路構成を示すブロック図である。
【図１７】第３の実施の形態としての磁歪アクチュエータ部の回路構成を示すブロック図である。
【図１８】無線使用および接続使用の使用状態の選択を説明するための図である。
【図１９】磁歪アクチュエータ部の収納、分離を説明するための図である。
【図２０】駆動ロッドの突出状態と収納状態を説明するための図である。
【図２１】磁歪アクチュエータ部を磁性体の壁に設置した状態を示す図である。
【図２２】吸盤付きの磁歪アクチュエータ部を非磁性体の壁に設置した状態を示す図である。
【図２３】吸盤付きの磁歪アクチュエータ部を机の上板（非磁性体）に設置した状態を示す図である。
【図２４】吸盤付きの磁歪アクチュエータ部の構成を示す図である。
【図２５】音声出力器の構成を示す図である。
【図２６】音声出力器の使用例を示す図である。
【図２７】音声出力器の使用例の示す図である。
【図２８】磁歪アクチュエータを変位拡大器に取り付けた状態を示す図である。
【図２９】磁歪アクチュエータ部を人間の頭部に設置する状態を説明するための図である。
【図３０】第４の実施の形態としての携帯電話機の構成を示すブロック図である。
【図３１】携帯電話機の筐体への磁歪アクチュエータの取り付け状態を示す図である。
【図３２】骨伝導を使用した受話状態を示す図である。
【図３３】磁歪アクチュエータを用いた音声出力装置の構成例を示すブロック図である。
【符号の説明】
【０１２９】
１００，１００′，１００Ａ，１００Ｂ・・・ＨＤＤプレーヤ、１０１・・・コントロール回路、１０２・・・操作部、１０３・・・表示部、１０４・・・周辺機器Ｉ／Ｆ、１０５・・・ＨＤＤ、１０６・・・デコーダ、１０７，１０７Ａ，１０７Ｈ・・・イコライザ、１０８，１０８Ａ，１０８Ｈ・・・Ｄ／Ａコンバータ、１０９，１０９Ａ，１０９Ｈ・・・出力アンプ、１１０・・・磁歪アクチュエータ、１１０ａ・・・駆動ロッド、１１１・・・切換スイッチ、１１２・・・データインタフェース、１１３・・・ベースバンド処理部、１１４・・・無線部、１１５・・・送信アンテナ、１１６・・・切換スイッチ、１１７・・・ヘッドホンジャック、１２０・・・筐体、１２１・・・振動板、１２２・・・収納凹部、１２３・・・スライド操作部、１２４・・・回転軸、１２５・・・吸盤、１３０・・・所定の振動板、１４０・・・磁歪アクチュエータ部、１４０ａ・・・回路基板部、１４１・・・コントロール回路、１４２・・・受信アンテナ、１４３・・・無線部、１４４・・・ベースバンド処理部、１４５・・・切換スイッチ、１４６・・・データインタフェース、１４７・・・吸盤、１４８・・・吸盤取付板、１５０・・・小筐体、１５１・・・振動板、１５３・・・吸盤、１７０・・・部屋、１７１・・・壁、１８０・・・ベッド、１８１・・・ボード、１９０・・・変位拡大器、１９０ａ・・・変位伝達部、１９１・・・吸盤、１９３・・・ネックバンド、２００・・・携帯電話機、２０１・・・制御部、２０２・・・キー操作部、２０３・・・表示部、２０４・・・メモリ、２０５・・・送受信アンテナ、２０６・・・無線部、２０７・・・ベースバンド処理部、２０８・・・音声処理部、２１０・・・マイクロホン
【図１】
2007104603.tif 000003
【図２】
2007104603.tif 000004
【図３】
2007104603.tif 000005
【図４】
2007104603.tif 000006
【図５】
2007104603.tif 000007
【図６】
2007104603.tif 000008
【図７】
2007104603.tif 000009
【図８】
2007104603.tif 000010
【図９】
2007104603.tif 000011
【図１０】
2007104603.tif 000012
【図１１】
2007104603.tif 000013
【図１２】
2007104603.tif 000014
【図１３】
2007104603.tif 000015
【図１４】
2007104603.tif 000016
【図１５】
2007104603.tif 000017
【図１６】
2007104603.tif 000018
【図１７】
2007104603.tif 000019
【図１８】
2007104603.tif 000020
【図１９】
2007104603.tif 000021
【図２０】
2007104603.tif 000022
【図２１】
2007104603.tif 000023
【図２２】
2007104603.tif 000024
【図２３】
2007104603.tif 000025
【図２４】
2007104603.tif 000026
【図２５】
2007104603.tif 000027
【図２６】
2007104603.tif 000028
【図２７】
2007104603.tif 000029
【図２８】
2007104603.tif 000030
【図２９】
2007104603.tif 000031
【図３０】
2007104603.tif 000032
【図３１】
2007104603.tif 000033
【図３２】
2007104603.tif 000034
【図３３】
2007104603.tif 000035